(57)【要約】【課題】  種々のアイテムの取り付けが容易なパネル体を提供する。【解決手段】  横材と、縦材と、見込材とを備え、横材が、前後かつ上下に並んでおり、縦材が、上下の横材同士を連結しており、見込材が、前後の横材と縦材の連結点同士を連結しており、横材と縦材と見込材とで構成した複数の直方体形の枠体からなる。【選択図】      図１
2015078532.tif 000002
【特許請求の範囲】
【請求項１】
横材と、縦材と、見込材とを備え、横材が、前後かつ上下に並んでおり、縦材が、上下の横材同士を連結しており、見込材が、前後の横材と縦材の連結点同士を連結しており、横材と縦材と見込材とで構成した複数の直方体形の枠体からなることを特徴とするパネル体。
【発明の詳細な説明】
【技術分野】
【０００１】
本発明は、住宅に設置するフェンスなどとして用いられるパネル体に関する。
【背景技術】
【０００２】
住宅の敷地と道路の境界を仕切るものとして、従来、直方体形のコンクリートブロックを積み重ねて構成したブロック塀が用いられている。ブロックの積み方には種類があり、縦方向の目地が一段ごとに食い違うものを馬目地、縦方向の目地が一直線なものを芋目地とよぶ。
【発明の概要】
【発明が解決しようとする課題】
【０００３】
しかしながら、このようなブロック塀に、ポストやインターホンなどのアイテムを取り付ける場合、ブロック塀の側面に孔を開けるなどの大掛かりな作業が必要となる点が問題であった。
【０００４】
本発明は、上記事情を鑑みたものであり、種々のアイテムの取り付けが容易なパネル体を提供することを目的とする。
【課題を解決するための手段】
【０００５】
本発明は、横材と、縦材と、見込材とを備え、横材が、前後かつ上下に並んでおり、縦材が、上下の横材同士を連結しており、見込材が、前後の横材と縦材の連結点同士を連結しており、横材と縦材と見込材とで構成した複数の直方体形の枠体からなることを特徴とする。
【発明の効果】
【０００６】
本発明によれば、横材、縦材又は見込材にフックなどを掛ける、前後の横材や左右の見込材に板状の部材を渡し掛ける、直方体形の枠体内に箱状の部材を納めるなどして、容易に種々のアイテムを取り付けることができる。また、視線が遮断されないので圧迫感がなく、風通しもよい。
【図面の簡単な説明】
【０００７】
【図１】第一実施形態の斜視図である。
【図２】第一実施形態を示し、（ａ）は平面図、（ｂ）は正面図、（ｃ）はＡ−Ａ線断面図である。
【図３】第一実施形態の使用例を示す説明図である。
【図４】第一実施形態とコンクリートブロックを組み合わせた例を示す説明図である。
【図５】第一実施形態の変形例を示す説明図である。
【図６】第二実施形態の斜視図である。
【図７】第二実施形態を示し、（ａ）は平面図、（ｂ）は正面図、（ｃ）はＢ−Ｂ線断面図である。
【図８】第二実施形態の使用例を示す説明図である。
【図９】第一実施形態（馬目地状）と第二実施形態（芋目地状）を組み合わせた例を示す説明図である。
【図１０】第三実施形態を示し、（ａ）は部分斜視図、（ｂ）は連結材の斜視図、（ｃ）は挿入孔部分の拡大図である。
【図１１】第四実施形態を示し、（ａ）は部分斜視図、（ｂ）は連結材の斜視図、（ｃ）は挿入孔部分の拡大図である。
【発明を実施するための形態】
【０００８】
以下、本発明の実施の形態を図面に基づいて説明する。このパネル体の第一実施形態は、図１及び図２に示すように、横材１と、縦材２と、見込材３からなる。横材１は左右方向、縦材２は上下方向、見込材３は前後方向に延びる部材であり、何れも断面正方形である。まず、横材１は、前後二列かつ上下に等間隔に並んでいる。そして、縦材２は、上下の横材１同士を連結している。一組の横材１は四本の縦材２により連結されており、その左右方向位置は、横材１の左端及び右端に一本ずつと、中間部に二本となっている。左右端の縦材２は、パネル体の上端から下端まで一直線に連なっており、中間部の二本の縦材２の左右方向位置は、一段ごとに食い違っている。より詳しくは、一段目（一番下の横材１と下から二本目の横材１の間）においては、左端から横材１の長さの２／５の位置及び４／５の位置に設けてあり、二段目（下から二本目の横材１と下から三本目の横材１の間）においては、左端から横材１の長さの１／５の位置及び３／５の位置に設けてあり、以降それの繰り返しとなっている。また、前列の横材１を連結する縦材２と、後列の横材１を連結する縦材２は、前後方向視して同じ位置に設けてある。そして、見込材３は、前後の横材１と縦材２の連結点同士を連結している。このように構成した第一実施形態は、横材１と縦材２と見込材３とで構成した複数の直方体形の枠体１０が、左右に整列しかつ上下の一段ごとにずれて並んだ形状となる。これはすなわち、馬目地状に積んだブロックの輪郭（ブロック塀の目地）をかたどった形状である。なお、直方体形の枠体１０の大きさは、左右幅が横材１の長さの２／５のものと、１／５のものの二種類となる。また、この第一実施形態は、アルミ製であって、鋳造により一体成形したものである。
【０００９】
続いて、図３に基づき、このパネル体１０１の第一実施形態の使用例として、住宅の敷地と道路の境界を仕切るフェンスとして用いた場合を示す。ここでは、図１及び図２に示した形状のパネル体１０１を一つのユニットとして、これを連続して並べることでフェンスを構成している。パネル体１０１を立設するには、下端部を設置面に埋め込む、左右端部を別途立設した柱体に固定する、といった方法がある。そして、パネル体１０１には、ポスト４、表札５及び照明６を取り付けてある。何れも、横材１と縦材２と見込材３とで構成される直方体形の枠体１０に丁度納まる大きさの直方体形状となっており、パネル体１０１に対して容易に取り付けることができる。また、前後に隣接する横材１及び左右に隣接する見込材３に板材７を渡し掛け、その上に植木鉢９を載置してある。さらに、横材１にフック８を掛けて、植木鉢９を吊り下げてある。これらの板材７やフック８の取り付けも容易である。そして、このパネル体１０１は、視線が遮断されないので圧迫感がなく、風通しもよい。また、パネル体１０１に連続して、門扉２００を設けてある。門扉２００は、パネル体１０１を構成する横材１及び縦材２と同じ太さの横部材及び縦部材からなる格子状のもので、パネル体１０１部分と門扉２００部分の意匠に一体性があり、統一感のある外観となっている。
【００１０】
また、図４に示すように、コンクリートブロックからなるブロック塀３００の一部を、パネル体１０１の第一実施形態に置き換えることで、見通し及び風通しを良くすることもできる。ブロック塀３００は、コンクリートブロックを馬目地状に積んだものであって、その上側部分の一部をコ字形に切り欠いた形状となっており、その部分にパネル体１０１を嵌め込んである。そして、特にパネル体１０１の横材１、縦材２及び見込材３からなる直方体形の枠体１０の大きさを、ブロック塀３００を構成するコンクリートブロックと同じ大きさにすることで、ブロック塀３００部分とパネル体１０１部分の意匠に一体性があり、統一感のある外観となる。
【００１１】
なお、パネル体の第一実施形態の変形例として、図５に示すように、左右端部の縦材２を一段おきに取り除いたものがある。取り除くのは、各段における左右端部の縦材２のうち、中間部の縦材２が近接している方の縦材２であり、これにより、全ての縦材２の左右方向の間隔が同じになり、直方体形の枠体１０の大きさは、左右幅が横材１の長さの２／５のもののみとなる。左右端部は凹凸形状となるが、連続して並べる際に、隣接するパネル体１１１同士を左右対称となる向きにして、凸部分同士を当接させれば、隣接する凹部分が一つの枠体のように見えるので（図中の１０ａ部分）、より連続性の高い外観となる。
【００１２】
次に、パネル体の第二実施形態について、図６及び図７に基づき説明する。第二実施形態も、第一実施形態と同様に、横材１と、縦材２と、見込材３からなる。横材１は左右方向、縦材２は上下方向、見込材３は前後方向に延びる部材であり、何れも断面正方形である。まず、横材１は、前後二列かつ上下に等間隔に並んでいる。そして、縦材２は、上下の横材１同士を連結している。一組の横材１は四本の縦材２により連結されており、その左右方向位置は、横材１の左端及び右端に一本ずつと、中間部に二本となっている。何れの縦材２も、パネル体の上端から下端まで一直線に連なっており、中間部の二本の縦材２の左右方向位置は、左端から横材１の長さの１／３の位置及び２／３の位置である。また、前列の横材１を連結する縦材２と、後列の横材１を連結する縦材２は、前後方向視して同じ位置に設けてある。そして、見込材３は、前後の横材１と縦材２の連結点同士を連結している。このように構成した第二実施形態は、横材１と縦材２と見込材３とで構成した複数の直方体形の枠体１０が、左右及び上下に整列した形状となる。これはすなわち、芋目地状に積んだブロックの輪郭（ブロック塀の目地）をかたどった形状である。なお、直方体形の枠体１０の大きさは、全て左右幅が横材１の長さの１／３のものとなる。また、この第二実施形態も、アルミ製であって、鋳造により一体成形したものである。
【００１３】
続いて、図８に基づき、このパネル体１０２の第二実施形態の使用例として、住宅の敷地と道路の境界を仕切るフェンスとして用いた場合を示す。第二実施形態も、第一実施形態と同様に用いることができるものであり、すなわち、図６及び図７に示した形状のパネル体１０２を一つのユニットとして、これを連続して並べることでフェンスを構成している。パネル体１０２を立設するには、下端部を設置面に埋め込む、左右端部を別途立設した柱体に固定する、といった方法がある。そして、パネル体１０２には、ポスト４、表札５及び照明６を取り付けてある。何れも、横材１と縦材２と見込材３とで構成される直方体形の枠体１０に丁度納まる大きさの直方体形状となっており、パネル体１０２に対して容易に取り付けることができる。また、前後に隣接する横材１及び左右に隣接する見込材３に板材７を渡し掛け、その上に植木鉢９を載置してある。さらに、横材１にフック８を掛けて、植木鉢９を吊り下げてある。これらの板材７やフック８の取り付けも容易である。そして、このパネル体１０２は、視線が遮断されないので圧迫感がなく、風通しもよい。また、パネル体１０２に連続して、門扉２００を設けてある。門扉２００は、パネル体１０２を構成する横材１及び縦材２と同じ太さの横部材及び縦部材からなる格子状のもので、パネル体１０２部分と門扉２００部分の意匠に一体性があり、統一感のある外観となっている。
【００１４】
また、第一実施形態と同様に、コンクリートブロックからなるブロック塀の一部を、パネル体の第二実施形態に置き換えることで、見通し及び風通しを良くすることもできる。この場合、コンクリートブロックを芋目地状に積んだブロック塀に適用し、パネル体の直方体形の枠体の大きさを、コンクリートブロックと同じ大きさにすることで、ブロック塀部分とパネル体部分の意匠に一体性があり、統一感のある外観となる。
【００１５】
次に、図９に基づき、このパネル体を機能門柱に適用した例を示す。機能門柱とは、門柱に、ポスト、表札や照明などを組み込んで機能を持たせたものである。この例においては、パネル体の下から三段目と四段目において中間部の縦材２の左右方向位置が揃っており、その他の部分においては中間部の縦材２の左右方向位置が一段ごとに食い違っていて、馬目地状の第一実施形態と芋目地状の第二実施形態を組み合わせた形状となっている。そして、横材１と縦材２と見込材３とで構成される直方体形の枠体１０に、それぞれ丁度納まる大きさの直方体形状であるポスト４、表札（インターホン付）５及び照明６を取り付けてある。図示したものは組み合わせの例であり、意匠性や機能性（ポスト４、表札５及び照明６などのアイテムの大きさや取付位置）を考慮して自在に設定できる。
【００１６】
次に、パネル体の第三実施形態について、図１０に基づき説明する。第三実施形態は、図１０（ａ）に示すように、第一実施形態と同じく、馬目地状に積んだブロックの輪郭（ブロック塀の目地）をかたどった形状であり、横材１と、縦材２と、見込材３からなるが、全体を一体成形したものではない。すなわち、横材１は、アルミ製であって、断面正方形で中空の押出形材からなり、前後の縦材２及び上下の見込材３は、アルミ製であって、鋳造により一体成形して連結材１１としてある。連結材１１は、図１０（ｂ）に示すように、前後の縦材２と上下の見込材３からなる略ロ形の部材である。縦材２及び見込材３は、何れも断面正方形であり、横材１の中空部の内寸に略等しい太さである。また、上下の見込材３の前後両端が、それぞれ前後の縦材２よりも前側及び後側に突出して突出部１２を形成しており、突出部１２の突出長さは、縦材２及び見込材３の断面の一辺の長さに等しい。そして、前側の横材１の後側面及び後側の横材１の前側面には、複数個の挿入孔１３を等間隔に設けてある。挿入孔１３は、図１０（ｃ）に示すように、連結材１１の突出部１２が丁度嵌まる大きさの矩形の孔であり、挿入孔１３に突出部１２を挿入し、ビス止めして固定する。連結材１１の上下及び前後の突出部１２に横材１を固定することで、上下及び前後の横材１を連結し、四本の横材１と二つの連結材１１で直方体形の枠体１０を構成するが、第三実施形態は馬目地状なので、横材１に対して、縦材２を上側に向けた連結材１１と下側に向けた連結材１１を左右方向に交互に取り付けることになる。そして、一番上の横材１には縦材２を下側に向けた連結材１１のみを取り付け、一番下の横材１には縦材２を上側に向けた連結材１１のみを取り付けるので、上下端の横材１は、他の横材１よりも挿入孔１３の数が少ない。なお、挿入孔１３部分においては、横材１の側面から連続して、横材１の上側面又は下側面のどちらか一方（図１０（ｃ）では上側面）を、横材１の肉厚分だけ切り欠いて切欠部１４を形成してあって、切欠部１４側が、連結材１１の縦材２が位置する側となる。一本の横材１に対して、隣接する連結材１１は縦材２の向きが上下交互となるから、複数並んだ挿入孔１３に連続する切欠部１４の位置も上下交互になっている。このように横材１に切欠部１４を設けたことにより、縦材２が切欠部１４に嵌まって、縦材２に対して、横材１がその肉厚分だけ食い込んだ構造となる。
【００１７】
このように構成したパネル体の第三実施形態によれば、横材１と、縦材２及び見込材３を分割して形成することで、全体を鋳造により一体成形する場合と比べて、製造費用を抑えることができる。また、挿入孔１３の間隔が異なる横材１や、上下高さ及び前後幅が異なる連結材１１を用意してそれらを適宜組み合わせることで、横材１同士、縦材２同士及び見込材３同士の間隔（直方体形の枠体１０の大きさ）を種々に変化させたパネル体を形成することができる。そして、第一実施形態と同様に、種々のアイテムを容易に取り付けることが可能である。また、視線が遮断されないので圧迫感がなく、風通しもよい。さらに、コンクリートブロックを積んだブロック塀の一部と置き換えて、見通し及び風通しを良くすることもできる。この場合、コンクリートブロックを馬目地状に積んだブロック塀に適用し、パネル体の直方体形の枠体１０の大きさを、コンクリートブロックと同じ大きさにすることで、ブロック塀部分とパネル体部分の意匠に一体性があり、統一感のある外観となる。
【００１８】
次に、パネル体の第四実施形態について、図１１に基づき説明する。第四実施形態は、図１１（ａ）に示すように、第二実施形態と同じく、芋目地状に積んだブロックの輪郭（ブロック塀の目地）をかたどった形状であり、横材１と、縦材２と、見込材３からなるが、全体を一体成形したものではない。すなわち、横材１は、アルミ製であって、断面正方形で中空の押出形材からなり、前後の縦材２及び上下の見込材３は、アルミ製であって、鋳造により一体成形して連結材１１としてある。連結材１１は、図１０（ｂ）に示すように、前後に位置しパネル体の上端から下端まで延びる縦材２と、縦材２に対して上下に等間隔に配置した見込材３からなる梯子形の部材である。縦材２及び見込材３は、何れも断面正方形であり、横材１の中空部の内寸に略等しい太さである。また、各見込材３の前後両端が、それぞれ前後の縦材２よりも前側及び後側に突出して突出部１２を形成しており、突出部１２の突出長さは、縦材２及び見込材３の断面の一辺の長さに等しい。そして、前側の横材１の後側面及び後側の横材１の前側面には、複数個の挿入孔１３を等間隔に設けてある。挿入孔１３は、図１０（ｃ）に示すように、連結材１１の突出部１２が丁度嵌まる大きさの矩形の孔であり、挿入孔１３に突出部１２を挿入し、ビス止めして固定する。連結材１１の各突出部１２に横材１を固定することで、上下及び前後の横材１を連結し、四本の横材１と二つの連結材１１で直方体形の枠体１０を構成して、これが複数並んで芋目地状の形状となる。なお、挿入孔１３部分においては、横材１の側面から連続して、横材１の上側面及び下側面を、横材１の肉厚分だけ切り欠いて切欠部１４を形成してある。このように横材１に切欠部１４を設けたことにより、縦材２が切欠部１４に嵌まって、縦材２に対して、横材１がその肉厚分だけ食い込んだ構造となる。
【００１９】
このように構成したパネル体の第四実施形態によれば、横材１と、縦材２及び見込材３を分割して形成することで、全体を鋳造により一体成形する場合と比べて、製造費用を抑えることができる。また、挿入孔１３の間隔が異なる横材１や、上下高さ、前後幅及び各段の見込材３同士の間隔が異なる連結材１１を用意してそれらを適宜組み合わせることで、横材１同士、縦材２同士及び見込材３同士の間隔（直方体形の枠体１０の大きさ）を種々に変化させたパネル体を形成することができる。そして、第二実施形態と同様に、種々のアイテムを容易に取り付けることが可能である。また、視線が遮断されないので圧迫感がなく、風通しもよい。さらに、コンクリートブロックを積んだブロック塀の一部と置き換えて、見通し及び風通しを良くすることもできる。この場合、コンクリートブロックを芋目地状に積んだブロック塀に適用し、パネル体の直方体形の枠体１０の大きさを、コンクリートブロックと同じ大きさにすることで、ブロック塀部分とパネル体部分の意匠に一体性があり、統一感のある外観となる。
【００２０】
本発明は、上記の実施形態に限定されない。たとえば、上下の横材同士の間隔や、左右の縦材同士の間隔は、一つのパネル体の全体で同じである必要はなく、間隔が狭い部分と広い部分が混在する形状であってもよい。特に、第三実施形態や第四実施形態のように、横材と、縦材及び見込材とを分割した構造であれば、間隔を自在に調整しやすい。また、横材を前後に三本以上並べる構造であってもよい。さらに、第三実施形態のロ形の連結材と、第四実施形態の梯子形の連結材を組み合わせて用いてもよい。また、横材、縦材及び見込材の連結構造はどのようなものであってもよく、横材、縦材及び見込材を全て分割した構造であってもよい。さらに、アイテムの取り付け方法も、どのようなものであってもよく、たとえば、横材や見込材に渡し掛ける板材をパネル体の側面から側方に突出させて、種々のアイテムを載置してもよい。
【符号の説明】
【００２１】
１  横材
２  縦材
３  見込材
１０  枠体
【図１】
2015078532.tif 000003
【図２】
2015078532.tif 000004
【図３】
2015078532.tif 000005
【図４】
2015078532.tif 000006
【図５】
2015078532.tif 000007
【図６】
2015078532.tif 000008
【図７】
2015078532.tif 000009
【図８】
2015078532.tif 000010
【図９】
2015078532.tif 000011
【図１０】
2015078532.tif 000012
【図１１】
2015078532.tif 000013